(57)【要約】【課題】試験手順の柔軟性及び効率性を向上させることができる自動試験装置及び方法を提供する。【解決手段】自動試験システムは、少なくとも一つのバッテリ形成装置と試験装置とを含む。バッテリ形成装置は、ネットワークから第１の制御コマンドを受信し、第１の制御コマンドに応じて試験手順を実行する。試験手順は、充電モード及び放電モードを含む。試験装置は、バッテリ形成装置に選択的に接続される。試験手順中、試験装置がバッテリ形成装置に接続されると、試験装置は第１の測定結果を生成する。試験装置は、試験装置の無線通信インターフェイスを介して第１の測定結果をバッテリ形成装置に送信する。【選択図】図１
2016195528.tif 000002
【特許請求の範囲】
【請求項１】
ネットワークから第１の制御コマンドを受信し、前記第１の制御コマンドに応じて充電モード及び放電モードを含む試験手順を実施する少なくとも一つのバッテリ形成装置と、
無線送信インターフェイスを含み、前記少なくとも一つのバッテリ形成装置に選択的に接続され、前記試験手順に応じて、前記少なくとも一つのバッテリ形成装置に接続されると、第１の測定結果を生成し、前記無線送信インターフェイスを介して前記少なくとも一つのバッテリ形成装置に前記第１の測定結果を送信する試験装置と、
を備える自動試験システム。
【請求項２】
前記ネットワークから第２の制御コマンドを受信し、前記第２の制御コマンドに応じて前記試験装置を移動させ、前記試験装置を前記少なくとも一つのバッテリ形成装置に接続させるロボット装置を更に備えることを特徴とする、請求項１に記載の自動試験システム。
【請求項３】
前記試験装置は、
前記試験装置が前記少なくとも一つのバッテリ形成装置に接続されると前記少なくとも一つのバッテリ形成装置に電気的に接続される接続ポートモジュールと、
前記接続ポートモジュールに接続され、前記接続ポートモジュールを介して前記充電モード及び前記放電モードを実施する制御モジュールと、
前記接続ポートモジュールに接続され、前記充電モード及び前記放電モードの下で前記接続ポートモジュールを測定して前記第１の測定結果を生成し、前記無線送信インターフェイスを介して前記少なくとも一つのバッテリ形成装置に前記第１の測定結果を送信する測定モジュールと、を含むことを特徴とする、請求項１に記載の自動試験システム。
【請求項４】
前記少なくとも一つのバッテリ形成装置は、前記第１の測定結果を受信した後、前記第１の測定結果に応じて試験値を生成することを特徴とする、請求項１記載の自動試験システム。
【請求項５】
前記少なくとも一つのバッテリ形成装置は、前記充電モード及び前記放電モードと関連する第２の測定結果を生成し、前記第１の測定結果を前記第２の測定結果と比較して試験結果を生成することを特徴とする、請求項１に記載の自動試験システム。
【請求項６】
少なくとも一つのバッテリ形成装置を較正する自動試験システムであって、
ネットワークから第１の制御コマンドを受信し、前記少なくとも一つのバッテリ形成装置を制御して前記第１の制御コマンドに応じて充電モード及び放電モードを含む試験手順を実施させる、少なくとも一つのコンピュータと、
無線送信インターフェイスを含み、前記少なくとも一つのバッテリ形成装置に選択的に接続され、前記試験手順に応じて、前記少なくとも一つのバッテリ形成装置に接続されると、第１の測定結果を生成し、前記無線送信インターフェイスを介して前記少なくとも一つのコンピュータに前記第１の測定結果を送信する試験装置と、
を備える自動試験システム。
【請求項７】
前記ネットワークから第２の制御コマンドを受信し、前記第２の制御コマンドに応じて前記試験装置を移動させて、前記試験装置を前記少なくとも一つのバッテリ形成装置に接続させるロボット装置を更に備えることを特徴とする、請求項６に記載の自動試験システム。
【請求項８】
前記試験装置は、
前記試験装置が前記少なくとも一つのバッテリ形成装置に接続されると前記少なくとも一つのバッテリ形成装置に電気的に接続される接続ポートモジュールと、
前記接続ポートモジュールに接続され、前記接続ポートモジュールを介して前記充電モード及び前記放電モードを実施する制御モジュールと、
前記接続ポートモジュールに接続され、前記充電モード及び前記放電モードの下で前記接続ポートモジュールを測定して前記第１の測定結果を生成し、前記無線送信インターフェイスを介して前記少なくとも一つのバッテリ形成装置に前記第１の測定結果を送信する測定モジュールと、を含むことを特徴とする、請求項６に記載の自動試験システム。
【請求項９】
前記少なくとも一つのコンピュータは、前記第１の測定結果を受信した後、前記第１の測定結果に応じて試験値を生成することを特徴とする、請求項６に記載の自動試験システム。
【請求項１０】
前記少なくとも一つのコンピュータは、前記バッテリ形成装置を制御して前記充電モード及び前記放電モードと関連する第２の測定結果を生成し、前記第１の測定結果を前記第２の測定結果と比較して試験結果を生成することを特徴とする、請求項６に記載の自動試験システム。
【請求項１１】
少なくとも一つのバッテリ形成装置及び試験装置を有する自動試験システムに適用され、
第１の制御コマンドを生成し、
前記試験装置を前記少なくとも一つのバッテリ形成装置に選択的に接続し、
前記少なくとも一つのバッテリ形成装置により、ネットワークから前記第１の制御コマンドを受信し、前記第１の制御コマンドに応じて充電モード及び放電モードを含む試験手順を実施し、
前記試験装置により、前記試験手順に応じて第１の測定結果を生成し、
前記試験装置における無線送信インターフェイスにより、前記少なくとも一つのバッテリ形成装置に前記第１の測定結果を送信すること、
を含む自動試験方法。
【請求項１２】
前記自動試験システムは更にロボット装置を有し、
前記試験装置を前記少なくとも一つのバッテリ形成装置に選択的に接続することは、前記ロボット装置によって前記ネットワークから第２の制御コマンドを受信し、前記第２の制御コマンドに応じて前記試験装置を移動させて前記試験装置を前記少なくとも一つのバッテリ形成装置に接続させることを特徴とする、請求項１１に記載の自動試験方法。
【請求項１３】
前記少なくとも一つのバッテリ形成装置が前記第１の測定結果を受信した後、前記少なくとも一つのバッテリ形成装置により前記第１の測定結果に応じて試験値を生成することを更に含む、請求項１１に記載の自動試験方法。
【請求項１４】
前記少なくとも一つのバッテリ形成装置により前記充電モード及び前記放電モードと関連する第２の測定結果を生成すること、及び、
前記第１の測定結果を前記第２の測定結果と比較して試験結果を生成すること、を更に含むことを特徴とする、請求項１１に記載の自動試験方法。
【発明の詳細な説明】
【技術分野】
【０００１】
本発明は、自動試験システム及び方法に関し、特に、バッテリ形成装置を自動的に試験するシステム及び方法に関する。
【背景技術】
【０００２】
バッテリの製造中、バッテリの作動は不可欠である。バッテリの作動は、正確な電圧及び電流制御で形成装置がバッテリを充放電することを必要とする。したがって、このような形成装置は、電圧及び電流制御の精度を維持するために時々較正され検証される必要があり、それにより高品質のバッテリの製造が維持される。
【０００３】
しかしながら、実際には、バッテリ生産フローはより複雑になっているため、生産能力がより高くなり、生産ラインが益々自動化されている。このような状況の下、従来の試験方法ではニーズを満たすには不十分となってきている。したがって、形成装置の試験効率性をシステム的に向上させることができる自動試験装置及び方法が開発することが必要である。
【発明の概要】
【発明が解決しようとする課題】
【０００４】
本発明は、試験手順の柔軟性及び効率性を向上させることができる自動試験装置及び方法を提供する。
【課題を解決するための手段】
【０００５】
一つ以上の実施形態によると、本発明は自動試験システムを提供する。本発明の一実施形態によると、自動試験システムは、少なくとも１つのバッテリ形成装置と、試験装置とを含む。バッテリ形成装置は、ネットワークから第１の制御コマンドを受信し、第１の制御コマンドに応じて試験手順を実施する。試験手順は、充電モード及び放電モードを含む。試験装置は、無線送信インターフェイスを含み、少なくとも１つのバッテリ形成装置に選択的に接続される。少なくとも１つのバッテリ形成装置に結合されると、試験手順に応じて、試験装置は、第１の測定結果を生成し、無線送信インターフェイスを介して第１の測定結果を少なくとも１つのバッテリ形成装置に送信する。
【０００６】
前記ネットワークから第２の制御コマンドを受信し、前記第２の制御コマンドに応じて前記試験装置を移動させ、前記試験装置を前記少なくとも一つのバッテリ形成装置に接続させるロボット装置を更に備えてもよい。
【０００７】
前記試験装置は、前記試験装置が前記少なくとも一つのバッテリ形成装置に接続されると前記少なくとも一つのバッテリ形成装置に電気的に接続される接続ポートモジュールと、前記接続ポートモジュールに接続され、前記接続ポートモジュールを介して前記充電モード及び前記放電モードを実施する制御モジュールと、前記接続ポートモジュールに接続され、前記充電モード及び前記放電モードの下で前記接続ポートモジュールを測定して前記第１の測定結果を生成し、前記無線送信インターフェイスを介して前記少なくとも一つのバッテリ形成装置に前記第１の測定結果を送信する測定モジュールと、を含んでもよい。
【０００８】
前記少なくとも一つのバッテリ形成装置は、前記第１の測定結果を受信した後、前記第１の測定結果に応じて試験値を生成してもよい。
【０００９】
前記少なくとも一つのバッテリ形成装置は、前記充電モード及び前記放電モードと関連する第２の測定結果を生成し、前記第１の測定結果を前記第２の測定結果と比較して試験結果を生成してもよい。
【００１０】
本発明の一実施形態によると、少なくとも一つのバッテリ形成装置を較正する自動試験システムであって、ネットワークから第１の制御コマンドを受信し、前記少なくとも一つのバッテリ形成装置を制御して前記第１の制御コマンドに応じて充電モード及び放電モードを含む試験手順を実施させる、少なくとも一つのコンピュータと、無線送信インターフェイスを含み、前記少なくとも一つのバッテリ形成装置に選択的に接続され、前記試験手順に応じて、前記少なくとも一つのバッテリ形成装置に接続されると、第１の測定結果を生成し、前記無線送信インターフェイスを介して前記少なくとも一つのコンピュータに前記第１の測定結果を送信する試験装置と、を備える自動試験システムが提供される。
【００１１】
前記ネットワークから第２の制御コマンドを受信し、前記第２の制御コマンドに応じて前記試験装置を移動させて、前記試験装置を前記少なくとも一つのバッテリ形成装置に接続させるロボット装置を更に備えてもよい。
【００１２】
前記試験装置は、前記試験装置が前記少なくとも一つのバッテリ形成装置に接続されると前記少なくとも一つのバッテリ形成装置に電気的に接続される接続ポートモジュールと、前記接続ポートモジュールに接続され、前記接続ポートモジュールを介して前記充電モード及び前記放電モードを実施する制御モジュールと、前記接続ポートモジュールに接続され、前記充電モード及び前記放電モードの下で前記接続ポートモジュールを測定して前記第１の測定結果を生成し、前記無線送信インターフェイスを介して前記少なくとも一つのバッテリ形成装置に前記第１の測定結果を送信する測定モジュールと、を含んでもよい。
【００１３】
前記少なくとも一つのコンピュータは、前記第１の測定結果を受信した後、前記第１の測定結果に応じて試験値を生成してもよい。
【００１４】
前記少なくとも一つのコンピュータは、前記バッテリ形成装置を制御して前記充電モード及び前記放電モードと関連する第２の測定結果を生成し、前記第１の測定結果を前記第２の測定結果と比較して試験結果を生成してもよい。
【００１５】
本発明の一実施形態によると、少なくとも一つのバッテリ形成装置及び試験装置を有する自動試験システムに適用され、第１の制御コマンドを生成し、前記試験装置を前記少なくとも一つのバッテリ形成装置に選択的に接続し、前記少なくとも一つのバッテリ形成装置により、ネットワークから前記第１の制御コマンドを受信し、前記第１の制御コマンドに応じて充電モード及び放電モードを含む試験手順を実施し、前記試験装置により、前記試験手順に応じて第１の測定結果を生成し、前記試験装置における無線送信インターフェイスにより、前記少なくとも一つのバッテリ形成装置に前記第１の測定結果を送信すること、を含む自動試験方法が提供される。
【００１６】
前記自動試験システムは更にロボット装置を有し、前記試験装置を前記少なくとも一つのバッテリ形成装置に選択的に接続することは、前記ロボット装置によって前記ネットワークから第２の制御コマンドを受信し、前記第２の制御コマンドに応じて前記試験装置を移動させて前記試験装置を前記少なくとも一つのバッテリ形成装置に接続させてもよい。
【００１７】
前記少なくとも一つのバッテリ形成装置が前記第１の測定結果を受信した後、前記少なくとも一つのバッテリ形成装置により前記第１の測定結果に応じて試験値を生成することを更に含んでもよい。
【００１８】
前記少なくとも一つのバッテリ形成装置により前記充電モード及び前記放電モードと関連する第２の測定結果を生成すること、及び、前記第１の測定結果を前記第２の測定結果と比較して試験結果を生成すること、を更に含んでもよい。
【発明の効果】
【００１９】
上述の自動試験システムを鑑みて、バッテリ形成装置は、ネットワークを通じて制御されて試験手順を実施する。さらに、バッテリ形成装置は、バッテリ形成装置を試験し較正するために試験装置と無線で通信する。したがって、本発明の自動試験システムは、試験手順の柔軟性及び効率性を明らかに向上させ、人件費も節約することができる。
【図面の簡単な説明】
【００２０】
【図１】本発明の一実施形態による、自動試験システムの機能ブロック図である。
【図２】本発明の一実施形態による、試験装置の機能ブロック図である。
【図３】本発明の別の実施形態による、自動試験システムの機能ブロック図である。
【図４】本発明の別の実施形態による、自動試験システムの機能ブロック図である。
【図５】本発明の別の実施形態による、自動試験システムの機能ブロック図である。
【図６】本発明の別の実施形態による、自動試験方法のフローチャートである。
【発明を実施するための形態】
【００２１】
本発明は、以下の詳細な説明と添付の図面により、さらに完全に理解されるものであるが、これらはただ説明のため付されるものであり、本発明を限定するものではない。
【００２２】
以下の詳細な説明では、説明のために、開示する実施形態をより良く理解するために多数の具体的な詳細が説明されている。しかしながら、１つ以上の実施形態がこれら具体的な詳細を備えることなく実施されてもよいことは明らかであろう。他の例では、周知の構造及び装置は、図面を簡略化するために概略的に示されている。
【００２３】
図１を参照すると、本発明の一実施形態による自動試験システムの機能ブロック図が示される。自動試験システムは、少なくとも一つのバッテリ形成装置１０と、試験装置１２とを含む。バッテリ形成装置１０は、ネットワーク１４から制御コマンド（第１の制御コマンドと呼ぶ）を受信し、受信した制御コマンドに応じて試験手順を実施する。試験手順は、充電モードと放電モードを含む。試験装置１２は、バッテリ形成装置１０に選択的に接続される。
【００２４】
試験手順に応じて、試験装置１２がバッテリ形成装置１０に接続されると、試験装置１２は第１の測定結果を生成し、試験装置１２の無線送信インターフェイスを介して第１の測定結果をバッテリ形成装置１０に送信する。
【００２５】
一実施形態において、自動試験システムは複数のバッテリ形成装置１０を有する。自動試験システムは、確認のための第１の制御コマンドに応じて複数のバッテリ形成装置１０のうちの１つを選択してもよい。
【００２６】
実際には、ネットワーク１４は、例えば、ローカルエリアネットワーク（ＬＡＮ）、広域ネットワーク、又は移動体ネットワークであるが、これらに限定されない。無線送信インターフェイスは、例えば、無線ＬＡＮ、ブルートゥース、又は、ＩＥＥＥ８０２．１５．４（ＺｉｇＢｅｅ：ジグビー）技術によって行われるが、これらに限定されない。
【００２７】
図２を参照すると、本発明の実施形態による試験装置の機能ブロック図が示される。試験装置２２は、接続ポートモジュール２２０と、制御モジュール２２２と、測定モジュール２２４と、無線送信インターフェイス２２６とを有する。試験装置２２がバッテリ形成装置１０に接続されると、試験装置２２は、接続ポートモジュール２２０が仮想バッテリの電極の接続ポートを提供する仮想バッテリをシミュレーションする。試験装置２２がバッテリ形成装置１０に電気的に接続されると、バッテリ形成装置により実際のバッテリーを充電又は放電するシミュレーションが行われる。
【００２８】
制御モジュール２２２は接続ポートモジュール２２０に接続され、無線送信インターフェイス２２６を介してバッテリ形成装置１０と試験指示を交換する。試験指示又はデータにより、試験装置２２とバッテリ形成装置は、接続ポートモジュール２２０の電気接続を介してバッテリ充電（即ち、充電モード）又はバッテリ放電（即ち、放電モード）を実施することができる。
【００２９】
測定モジュール２２４は、接続ポートモジュール２２０に接続され、充電モード及び放電モードの下で接続ポートモジュール２２０を測定して、第１の測定結果を生成する。更に、測定モジュール２２４は、無線送信モジュールを介して第１の測定結果をバッテリ形成装置１０に送信する。測定モジュール２２４は、例えばデジタルマルチメータであるが、これに限定されない。
【００３０】
詳細には、充電モードを実施するために試験装置２２とバッテリ形成装置１０が互いに試験指示を送信すると、制御モジュール２２２は試験指示を送りバッテリ形成装置１０に命令して充電電力を供給させ、仮想バッテリを負荷モードに変えて、試験装置２２を充電する。試験指示を互いに送信することにより放電モード下で試験装置２２とバッテリ形成装置１０が動作すると、制御モジュール２２２は仮想バッテリを仮想バッテリが貯蔵電気を有する電源モードに設定し、試験装置２２を放電する。測定モジュール２２４は、充電モード及び放電モードの下で接続ポートモジュール２２０における電圧及び電流を測定し、第１の測定結果を生成する。一般的に、バッテリ形成装置１０は、多数のバッテリを同時に充電又は放電することができるよう、多数のチャネルと関連する電極を含む。一実施形態では、接続ポートモジュール２２０は、試験指示のやりとりに応答して多数のバッテリ、チャネル、及びその電極をシミュレーションする多数の電極のセットを含み、試験手順の下で多数の仮想バッテリを充電し、放電し、測定する。
【００３１】
更に、一実施形態における試験手順は、バッテリ形成装置１０を較正し検証することを含む。バッテリ形成装置１０の較正中、バッテリ形成装置１０は第１の測定結果を基準値として見なし、基準値を試験値に変換し、バッテリ形成装置１０に試験値を記録する。一実施形態において、第１の測定結果は多数の電圧値又は電流値を示し、試験値はこれらの電圧値又は電流値を平均化する、又は、電圧値又は電流値を充電−放電特性曲線に変換することで生成される。したがって、バッテリ形成装置１０は、バッテリの製造中に新しい試験値に応じてバッテリを正確に充放電することができる。
【００３２】
他方で、バッテリ形成装置１０の検証中、バッテリ形成装置１０は、第１の測定結果を受信するだけでなく、充電モード及び放電モードの下で仮想バッテリの電圧値及び電流値を自動的に測定して第２の測定結果を生成する。したがって、バッテリ形成装置１０は、第１の測定結果を基準として設定し、第１の測定結果を第２の測定結果と比較して、測定値と基準値の関係を示し、且つ機器の状態を示す試験結果を生成する。例えば、試験結果は、第１の測定結果と第２の測定結果との間の電圧又は電流の差分値を含む。差分値が予め設定された閾値未満の場合、バッテリ形成装置１０が標準精度と合致することが示される。反対に、差分値が予め設定された閾値以上の場合、バッテリ形成装置１０が標準精度と合致せず、較正によってその精度レベルを向上させる必要があることが示される。
【００３３】
図３を参照すると、本発明の別の実施形態による自動試験システムの機能ブロック図が示される。自動試験システムは、少なくとも１つのバッテリ形成装置３０と、試験装置３２と、例えばロボットアーム等のロボット装置３６とを含む。バッテリ形成装置３０は、ネットワーク３４から第１の制御コマンドを受信し、第１の制御コマンドに応じて試験手順を実施する。ロボット装置３６はネットワーク３４から第２の制御コマンドを受信し、第２の制御コマンドに応じて試験装置３２を動かして試験装置３２をバッテリ形成装置３０に接続させる。
【００３４】
試験手順に応じて試験装置３２がバッテリ形成装置３０に接続されると、試験装置３２は第１の測定結果を生成し、試験装置３２の無線送信インターフェイスを介して第１の測定結果をバッテリ形成装置３０に送信する。
【００３５】
一実施形態では、自動試験システムは、複数のバッテリ形成装置３０を有する。複数のバッテリ形成装置３０のうちの一つは第１の制御コマンドに応じて現在の試験タスクのために選択され、ロボット装置３６は第２の制御コマンドに応じて試験装置３２を移動させる。それにより、試験装置３２は選択されたバッテリ形成装置３０に接続される。ある実施例では、ネットワーク３４にリンクするコンピュータ統合生産（ＣＩＭ）機器は、前述の試験手順を可能にするアポイントメントスケジューリングによって制御コマンド（即ち、第１の制御コマンド）を生成するため、更に、ロボット装置３６を制御するアポイントメントスケジューリングによって別の制御コマンド（即ち、第２の制御コマンド）を生成するために使用される。
【００３６】
一実施形態では、前述の第１の測定結果、第２の測定結果、及び試験結果は、ネットワークを介してコンピュータ統合生産機器に更に送られてもよい。コンピュータ統合生産機器はこれらの結果を記憶し、更に統合及び分析して、バッテリの製造及び機器のメンテナンスのための基準を確立するためのデータベースを確立することができる。
【００３７】
一実施形態では、上述のアポイントメントスケジューリングは、予め設定された正常なスケジューリング、又は、試験手順のスケジュールを判断するために測定結果及び試験結果の分析に応じて定められたものである。本発明において、上述のアポイントメントスケジューリングは、実際の適用要件に応じて設計され得る。
【００３８】
図４を参照すると、本発明の別の実施形態による自動試験システムの機能ブロック図が示される。自動試験システムは、少なくとも１つのコンピュータ４１と試験装置４２とを有する。コンピュータ４１は、バッテリ形成装置４０を制御する。具体的には、コンピュータ４１は、ネットワーク４４から制御コマンド（以下、第１の制御コマンドと呼ぶ）を受信し、バッテリ形成装置４０を制御して第１の制御コマンドに応じて試験手順を実施させる。試験手順は、充電モードと放電モードとを含む。試験装置４２は、バッテリ形成装置４０に選択的に接続される。試験手順に応じて試験装置４２がバッテリ形成装置４０に接続されると、試験装置４２は第１の測定結果を生成し、試験装置４２の無線送信インターフェイスを介して第１の測定結果をコンピュータ４１に送信する。
【００３９】
一実施形態では、試験装置４２は、接続ポートモジュールと、制御モジュールと、測定モジュールとを有する。制御モジュールは、無線送信インターフェイスを介してコンピュータ４１と試験指示をやりとりし、接続ポートモジュールの電気接続を介して充電モードと放電モードを実施する。充放電モードの詳細及び測定の詳細については、前述の関連する実施形態を参照し、ここでは繰り返し説明しない。
【００４０】
更に、上述の試験手順は、バッテリ形成装置４０を較正し検証することを含む。バッテリ形成装置４０が較正される際、コンピュータ４１は第１の測定結果を基準値として設定して、試験値を生成し、試験値をバッテリ形成装置４０に書き込む。バッテリ形成装置４０が検証される際、コンピュータ４１は第１の測定結果を受信し、バッテリ形成装置４０を制御して充電モード及び放電モードの下で電圧値及び電流値を測定し、第２の測定結果を生成する。したがって、コンピュータ４１は、第１の測定結果を基準として設定し、第１の測定結果を第２の測定結果と比較して、測定値とバッテリ形成装置４０の状態を推定する基準値との関係を示す試験結果を生成する。
【００４１】
図５を参照すると、本発明の別の実施形態による自動試験システムの機能ブロック図が示される。自動試験システムは、少なくとも１つのコンピュータ５１と、試験装置５２と、ロボット装置５６とを含む。コンピュータ５１は、ネットワーク５４から第１の制御コマンドを受信し、第１の制御コマンドに応じて試験手順を実施する。ロボット装置５６は、ネットワーク５４から第２の制御コマンドを受信し、第２の制御コマンドに応じて試験装置５２を移動させて、試験装置５２をバッテリ形成装置５０に接続させる。試験手順において試験装置５２がバッテリ形成装置５０に接続されると、試験装置５２は、第１の測定結果を生成し、試験装置５２の無線送信インターフェイスを介して第１の測定結果をコンピュータ５１に送信する。
【００４２】
一実施形態では、自動試験システムは更に複数のバッテリ形成装置を含み、第１の制御コマンドに応じて試験タスクのために複数のバッテリ形成装置のうちの１つが選択される。更に、ロボット装置５６は、第２の制御コマンドに応じて、試験装置５２を移動させて、試験装置５２を選択されたバッテリ形成装置に接続させる。
【００４３】
図６を参照すると、本発明の別の実施形態による自動試験方法のフローチャートが示される。自動試験方法は、少なくとも１つのバッテリ形成装置と試験装置とを含む自動試験システムに適用される。最初に、第１の制御コマンドを生成して試験手順を可能にする（Ｓ６０）。続いて、試験装置をバッテリ形成装置に選択的に接続する（Ｓ６２）。次に、バッテリ形成装置がネットワークから第１の制御コマンドを受信し、バッテリ形成装置により第１の制御コマンドに応じて試験手順を実施する（Ｓ６４）。試験手順は、充電モード及び放電モードを含む。更に、試験装置によって試験手順の下で第１の測定結果を生成する（Ｓ６６）。続いて、試験装置が試験装置の無線送信インターフェイスを介して第１の測定結果をバッテリ形成装置に送信する（Ｓ６８）。
【００４４】
自動試験方法の別の実施形態では、試験装置は接続ポートモジュールと、制御モジュールと、測定モジュールとを有し、自動試験方法は更に以下のステップを有する。充電モードの下では、制御モジュールは試験指示を用いてバッテリ形成装置に命令して電力を供給させる。更に、制御モジュールは、試験装置によってシミュレーションされた仮想バッテリを負荷モードに変えて、それにより、バッテリ形成装置及び試験装置を充電モードの下で動作させる。放電モードの下、制御モジュールは、仮想バッテリを、仮想バッテリが電気を有するよう設定された電源モードに変えて、バッテリ形成装置及び試験装置を制御して放電モードの下で動作させる。測定モジュールは、充電モード及び放電モードの下で接続ポートモジュールでの電圧値及び電流値を測定して、第１の測定結果を生成する。
【００４５】
別の実施形態では、自動試験方法は、更にバッテリ形成装置の較正及び検証を含む。バッテリ形成装置の較正（即ち、較正手順）中、自動試験方法は、更に受信した第１の測定結果をバッテリ形成装置に書き込むことを含む。バッテリ形成装置の検証（即ち、検証手順）中、自動試験方法は、更に以下のステップを含む。最初に、バッテリ形成装置は、充電モード及び放電モードの下で接続ポートモジュールでの電圧値及び電流値を自動的に測定して、第２の測定結果を生成する。続いて、バッテリ形成装置は、第１の測定結果を第２の測定結果と比較して、検証結果を生成する。実際には、バッテリ形成装置は、ネットワークを介して第１の測定結果、第２の測定結果、及び検証結果をコンピュータ統合生産機器に送り、それによりコンピュータ統合生産機器は、第１の測定結果、第２の測定結果、及び検証結果を統合及び分析することができる。
【００４６】
自動試験方法の別の実施形態では、自動試験システムはロボット装置を更に含み、試験装置をバッテリ形成装置に結合することは、更にロボット装置がネットワークから第２の制御コマンドを受信し、第２の制御コマンドに応じて試験装置を移動させて、試験装置とバッテリ形成装置とを接続させることを含む。自動試験システムが複数のバッテリ形成装置を含む場合、試験手順がどのバッテリ形成装置に実施されるかを選択し、タイミングを定めるためにアポイントメントスケジューリングが実施され、対応する第１の制御コマンド及び第２の制御コマンドが生成される。
【００４７】
別の実施形態では、自動試験方法は、検証手順が実施される前に、更に以下のステップを含む。最初に、バッテリ形成装置は電源オフコマンドを受信する。電源オフの成功を応答した後、バッテリ形成装置は冷却コマンドを受信する。冷却の成功を応答した後、バッテリ形成装置はロボット装置を制御して、試験装置を移動させて、試験装置とバッテリ形成装置を接続させる。続いて、自動試験方法は、検証手順が終了した後に、更に、以下のステップを含む。最初に、ロボット装置を制御して試験装置を移動させて、試験装置をバッテリ形成装置から離す。次に、バッテリ形成装置はウォーミングアップコマンドを受信する。ウォーミングアップの成功を応答した後、バッテリ形成装置は電力復旧コマンドを受信する。バッテリ形成装置が電力復旧の成功を応答した後、復旧手順が終了する。実際には、コンピュータ統合生産機器は、ネットワークを介して上述のコマンドを供給する。
【００４８】
別の実施形態では、自動試験方法は、検証手順中に、更に、以下のステップを含む。最初に、試験装置は、検証手順中に試験装置に供給される電力が正常であることを確認にするために、補助電源が正常に動作しているかを確認する。続いて、試験装置は、電圧及び電流パラメータを設定し、接続ポートの導電状態を制御する。充電モード又は放電モードに入った後、測定モジュールは、測定環境が安定するまで待機又はスタンバイ状態になり、その後、電圧値及び電流値を測定する。
【図１】
2016195528.tif 000003
【図２】
2016195528.tif 000004
【図３】
2016195528.tif 000005
【図４】
2016195528.tif 000006
【図５】
2016195528.tif 000007
【図６】
2016195528.tif 000008